(57)【要約】【課題】簡単に、迅速に、確実にかつ自由なレイアウトにて編集・更新作業を可能とすること。【解決手段】オブジェクトを抽出するオブジェクト抽出手段１２と、そのオブジェクトにオブジェクト管理ＩＤを割り当てるオブジェクト管理ＩＤ割り当て手段４２と、編集可能なオブジェクトを配置したページを表示させるページ表示処理手段１４と、指示箇所のオブジェクト管理ＩＤを特定するオブジェクト管理ＩＤ特定手段２２と、オブジェクトを編集フォーム内に表示する編集フォーム表示処理手段２４と、更新対象のオブジェクトを特定する更新オブジェクト特定手段３２と、更新前のオブジェクトを、更新対象のオブジェクトに差し替えるオブジェクト差し替え手段４３と、そのオブジェクトにオブジェクト管理ＩＤを割り当てる更新オブジェクト管理ＩＤ割り当て手段４２と、更新後のページを表示させる更新ページ表示処理手段３３とを備えるホームページ編集用サーバ１とすること。【選択図】図２
2004240635.tif 000002
【特許請求の範囲】
【請求項１】
通信端末との間で、通信回線を介してデータの送受信が可能であって、上記通信端末からの指示に基づいてホームページの編集を行うためのホームページ編集用サーバであって、
ホームページを編集するための信号をトリガとして、ホームページを構成するオブジェクトを抽出するオブジェクト抽出手段と、
その抽出されたオブジェクトに、オブジェクト管理ＩＤを割り当てるオブジェクト管理ＩＤ割り当て手段と、
上記通信端末に、編集可能なオブジェクトを配置したページを表示させるページ表示処理手段と、
編集する箇所の指示をトリガとして、その箇所のオブジェクト管理ＩＤを特定するオブジェクト管理ＩＤ特定手段と、
そのオブジェクト管理ＩＤに対応するオブジェクトを、編集フォーム内に表示する編集フォーム表示処理手段と、
更新対象のオブジェクトを特定する更新オブジェクト特定手段と、
更新前のオブジェクトを、更新対象のオブジェクトに差し替えるオブジェクト差し替え手段と、
その更新対象のオブジェクトにオブジェクト管理ＩＤを割り当てる更新オブジェクト管理ＩＤ割り当て手段と、
上記通信端末に、更新後のページを表示させる更新ページ表示処理手段と、
を備えることを特徴とするホームページ編集用サーバ。
【請求項２】
ホームページがリンク先の情報を持つ場合に、そのリンク先のアドレスおよびそのアドレスにあるページを構成するオブジェクトの内少なくとも１つのリンク情報を特定し、その特定されたリンク情報を、オブジェクト管理ＩＤを割り当てるために前記オブジェクト管理ＩＤ割り当て手段に向けて送るリンク情報処理手段と、
前記編集フォームと共に、上記リンク情報を表示するリンク情報表示処理手段と、
を備えることを特徴とする請求項１記載のホームページ編集用サーバ。
【請求項３】
前記オブジェクト抽出手段は、特定の抽出条件に合致したオブジェクトのみを抽出することを特徴とする請求項１記載のホームページ編集用サーバ。
【請求項４】
前記特定の抽出条件に合致したオブジェクトは、文字と画像であることを特徴とする請求項３記載のホームページ編集用サーバ。
【請求項５】
前記オブジェクト抽出手段は、ホームページを編集する管理者の管理者特定情報に基づいて、オブジェクトの抽出方法を変えることを特徴とする請求項１記載のホームページ編集用サーバ。
【請求項６】
前記オブジェクト抽出手段は、タグに挟まれたオブジェクトの単位に、前記オブジェクトを抽出することを特徴とする請求項１記載のホームページ編集用サーバ。
【請求項７】
前記オブジェクト抽出手段は、特定のタグに挟まれたオブジェクトの単位に、オブジェクトを抽出することを特徴とする請求項１記載のホームページ編集用サーバ。
【請求項８】
前記オブジェクト抽出手段は、複数のタグを含む単位で、オブジェクトを抽出することを特徴とする請求項１記載のホームページ編集用サーバ。
【請求項９】
前記オブジェクト管理ＩＤ割り当て手段は、特定のタグにも、オブジェクト管理ＩＤを付与することを特徴とする請求項１記載のホームページ編集用サーバ。
【請求項１０】
前記特定のタグは、画像を挿入するために必要なタグであることを特徴とする請求項９記載のホームページ編集用サーバ。
【請求項１１】
前記編集フォーム内に、画像挿入用特定タグが有るか否かを識別する特定タグ識別手段と、
その画像挿入用特定タグが有る場合に、画像の挿入を可能とする画像挿入枠を表示する第１画像挿入枠表示処理手段と、
を備えることを特徴とする請求項１記載のホームページ編集用サーバ。
【請求項１２】
前記オブジェクト抽出手段により抽出されたオブジェクトの前または後ろに、別のオブジェクトを追加可能なポイントを付与するオブジェクト追加ポイント付与手段と、
そのポイントの指示によって、画像の挿入を可能とする画像挿入枠を表示する第２画像挿入枠表示処理手段と、
を備えることを特徴とする請求項１記載のホームページ編集用サーバ。
【請求項１３】
前記編集フォーム内に、オブジェクトを追加可能なポイントを表示させるオブジェクト追加ポイント表示処理手段と、
そのポイントの指示によって、画像の挿入を可能とする画像挿入枠を表示する第３画像挿入枠表示処理手段と、
を備えることを特徴とする請求項１記載のホームページ編集用サーバ。
【請求項１４】
前記編集フォーム表示処理手段は、前記オブジェクトに含まれる改行タグの位置に画像の挿入を可能とする画像挿入枠を表示することを特徴とする請求項１記載のホームページ編集用サーバ。
【請求項１５】
ホームページのアドレスを受け付けるアドレス受付手段と、
受け付けたアドレスにあるページのＨＴＭＬおよびオブジェクトを取り込むページ取り込み手段と、
取り込んだファイルのファイルパスを登録するファイルパス登録手段と、
上記ホームページのアクセス情報を生成するホームページアクセス情報生成手段と、
上記アクセス情報を、前記通信端末の使用者に向けて通知するアクセス情報通知手段と、
を備えることを特徴とする請求項１記載のホームページ編集用サーバ。
【請求項１６】
通信回線を介して通信端末からの指示に基づいてホームページの編集を行うためのホームページ編集方法であって、
ホームページを編集するための信号をトリガとして、ホームページを構成するオブジェクトを抽出するオブジェクト抽出ステップと、
その抽出されたオブジェクトに、オブジェクト管理ＩＤを割り当てるオブジェクト管理ＩＤ割り当てステップと、
上記通信端末に、編集可能なオブジェクトを配置したページを表示させるページ表示処理ステップと、
編集する箇所の指示をトリガとして、その箇所のオブジェクト管理ＩＤを特定するオブジェクト管理ＩＤ特定ステップと、
そのオブジェクト管理ＩＤに対応するオブジェクトを、編集フォーム内に表示する編集フォーム表示処理ステップと、
更新対象のオブジェクトを特定する更新オブジェクト特定ステップと、
更新前のオブジェクトを、更新対象のオブジェクトに差し替えるオブジェクト差し替えステップと、
その更新対象のオブジェクトにオブジェクト管理ＩＤを割り当てる更新オブジェクト管理ＩＤ割り当てステップと、
上記通信端末に、更新後のページを表示させる更新ページ表示処理ステップと、
を含むことを特徴とするホームページ編集方法。
【請求項１７】
コンピュータに読みとり可能な、通信回線を介して通信端末からの指示に基づいてホームページの編集を行うためのホームページ編集用プログラムであって、
ホームページを編集するための信号をトリガとして、ホームページを構成するオブジェクトを抽出するオブジェクト抽出ステップと、
その抽出されたオブジェクトに、オブジェクト管理ＩＤを割り当てるオブジェクト管理ＩＤ割り当てステップと、
上記通信端末に、編集可能なオブジェクトを配置したページを表示させるページ表示処理ステップと、
編集する箇所の指示をトリガとして、その箇所のオブジェクト管理ＩＤを特定するオブジェクト管理ＩＤ特定ステップと、
そのオブジェクト管理ＩＤに対応するオブジェクトを、編集フォーム内に表示する編集フォーム表示処理ステップと、
更新対象のオブジェクトを特定する更新オブジェクト特定ステップと、
更新前のオブジェクトを、更新対象のオブジェクトに差し替えるオブジェクト差し替えステップと、
その更新対象のオブジェクトにオブジェクト管理ＩＤを割り当てる更新オブジェクト管理ＩＤ割り当てステップと、
上記通信端末に、更新後のページを表示させる更新ページ表示処理ステップと、
を含むことを特徴とするホームページ編集用プログラム。
【請求項１８】
ホームページがリンク先の情報を持つ場合に、そのリンク先のアドレスおよびそのアドレスにあるページを構成するオブジェクトの内少なくとも１つのリンク情報を特定し、その特定されたリンク情報を、オブジェクト管理ＩＤの割り当てを行う場所に送るリンク情報処理ステップと、
前記編集フォームと共に、上記リンク情報を表示するリンク情報表示処理ステップと、
を含むことを特徴とする請求項１７記載のホームページ編集用プログラム。
【請求項１９】
前記オブジェクト抽出ステップは、特定の抽出条件に合致したオブジェクトのみを抽出することを特徴とする請求項１７記載のホームページ編集用プログラム。
【請求項２０】
前記特定の抽出条件に合致したオブジェクトは、文字と画像であることを特徴とする請求項１９記載のホームページ編集用プログラム。
【請求項２１】
前記オブジェクト抽出ステップは、ホームページを編集する管理者の管理者特定情報に基づいて、オブジェクトの抽出方法を変えることを特徴とする請求項１７記載のホームページ編集用プログラム。
【請求項２２】
前記オブジェクト抽出ステップは、タグに挟まれたオブジェクトの単位に、前記オブジェクトを抽出することを特徴とする請求項１７記載のホームページ編集用プログラム。
【請求項２３】
前記オブジェクト抽出ステップは、特定のタグに挟まれたオブジェクトの単位に、オブジェクトを抽出することを特徴とする請求項１７記載のホームページ編集用プログラム。
【請求項２４】
前記オブジェクト抽出ステップは、複数のタグを含む単位で、オブジェクトを抽出することを特徴とする請求項１７記載のホームページ編集用プログラム。
【請求項２５】
前記オブジェクト管理ＩＤ割り当てステップは、特定のタグにも、オブジェクト管理ＩＤを付与することを特徴とする請求項１７記載のホームページ編集用プログラム。
【請求項２６】
前記特定のタグは、画像を挿入するために必要なタグであることを特徴とする請求項２５記載のホームページ編集用プログラム。
【請求項２７】
前記編集フォーム内に、画像挿入用特定タグが有るか否かを識別する特定タグ識別ステップと、
その画像挿入用特定タグが有る場合に、画像の挿入を可能とする画像挿入枠を表示する第１画像挿入枠表示処理ステップと、
を含むことを特徴とする請求項１７記載のホームページ編集用プログラム。
【請求項２８】
前記オブジェクト抽出ステップの実行により抽出されたオブジェクトの前または後ろに、別のオブジェクトを追加可能なポイントを付与するオブジェクト追加ポイント付与ステップと、
そのポイントの指示によって、画像の挿入を可能とする画像挿入枠を表示する第２画像挿入枠表示処理ステップと、
を含むことを特徴とする請求項１７記載のホームページ編集用プログラム。
【請求項２９】
前記編集フォーム内に、オブジェクトを追加可能なポイントを表示させるオブジェクト追加ポイント表示処理ステップと、
そのポイントの指示によって、画像の挿入を可能とする画像挿入枠を表示する第３画像挿入枠表示処理ステップと、
を含むことを特徴とする請求項１７記載のホームページ編集用プログラム。
【請求項３０】
前記編集フォーム表示処理ステップは、前記オブジェクトに含まれる改行タグの位置に画像の挿入を可能とする画像挿入枠を表示することを特徴とする請求項１７記載のホームページ編集用プログラム。
【請求項３１】
ホームページのアドレスを受け付けるアドレス受付ステップと、
受け付けたアドレスにあるページのＨＴＭＬおよびオブジェクトを取り込むページ取り込みステップと、
取り込んだファイルのファイルパスを登録するファイルパス登録ステップと、上記ホームページのアクセス情報を生成するホームページアクセス情報生成ステップと、
上記アクセス情報を、前記通信端末の使用者に向けて通知するアクセス情報通知ステップと、
を含むことを特徴とする請求項１７記載のホームページ編集用プログラム。
【発明の詳細な説明】
【０００１】
【従来の技術】
従来より、ユーザがホームページを編集するために、ＨＴＭＬ（ＨｙｐｅｒＴｅｘｔ  Ｍａｒｋｕｐ  Ｌａｎｇｕａｇｅ）形式で作成されたファイルをサーバに転送する上でのさまざまな問題が指摘されている。一つ目の問題は、そのユーザがＨＴＭＬを十分理解していなければ、自己のホームページを編集・更新することが難しいことである。ＨＴＭＬにつき知識を持たない初心者がホームページを編集・更新しようとすると、変更すべきでない部分を書き換えてしまう危険性がある。このため、ＨＴＭＬに習熟していないユーザは、どうしても、ホームページの更新作業を専門家に依頼せざるを得ない。
【０００２】
また、二つ目の問題は、ホームページの自由なレイアウトが制限されることである。ＨＴＭＬに習熟していないユーザであっても、インターネット上の初心者向けのホームページ作成サービスを利用すれば、ある程度、編集・更新の作業は可能である。しかし、インターネット上の初心者向けのホームページ作成サービスを使用する場合、どうしても、定型的なレイアウトにしたがって、ホームページを作成せざるを得ず、ユーザが自由にレイアウトすることができない。このため、編集・更新も、定型的なフォーマットの範疇で行わざるを得ない。また、別の方法として、ホームページの作成ソフトをインストールしてパソコン上で使用する方法もある。しかし、この方法には、大きなメモリ容量を必要とするに加え、オペレーションソフト（ＯＳ）、ブラウザソフトに制限があるという問題がある。この結果、必然的に、携帯電話、ＰＤＡ等の携帯端末上で、ホームページ作成ソフトを使用することは困難となる。
【０００３】
このような問題点を解決するため、ホームページの編集・更新の初心者でも作業できる方法がいくつか提案されてきている。例えば、予め準備されたレイアウトファイルを選択し、そのレイアウトファイルと、そのレイアウトファイルで指定した位置に表示するコンテンツ（文字、画像等）とを関連づけ、自動的に合成表示する方法が知られている（例えば、特許文献１参照）。また、予めＨＴＭＬ内に意味のないタグを挿入しておき、それを編集可能領域とし、当該部分から編集用フォームにリンクを張り、部分的な編集を可能にする方法も知られている（例えば、特許文献２参照）。
【０００４】
【特許文献１】
特開２０００−２９８６４６号公報
【特許文献２】
特開２００２ー１１６９４７号公報
【０００５】
【発明が解決しようとする課題】
しかし、上記の従来の技術には、未だ解決できていない問題が残されている。特開２０００−２９８６４６号公報に開示される方法では、レイアウトファイルとコンテンツとを個別に編集可能とすることによって、ある程度、編集作業の負担は軽減されている。しかし、予めレイアウトファイルで指定された編集可能領域の文字を編集できても、新たな文字を自由な位置に追加しようとすると、ＨＴＭＬに習熟した専門家が、レイアウトファイルそのものを編集する必要がある。このため、ＨＴＭＬに習熟していない初心者が、自由に編集作業を行うことは出来ない。
【０００６】
また、特開２００２ー１１６９４７号公報に開示される方法では、ＨＴＭＬに習熟する専門家の手により、個々のページの編集可能領域を指定する編集用タグをＨＴＭＬレベルで予め挿入しておく必要がある。このため、ＨＴＭＬの初心者は、編集用タグが挿入済みのページを編集できても、過去に自分で作成した、編集用タグなしのホームページを編集することはできない。したがって、ホームページに新しいページを設けるたびに、専門家の手をかりる必要があり、編集・更新作業をまったく他人の手を借りずに実施することはできない。
【０００７】
一方、従来のホームページの編集・更新の作業には、別の問題もある。ホームページの一部を構成するファイルをサーバに送信するには、ＦＴＰソフトが必要となることである。ＦＴＰソフトは、本来的には、ホームページの更新作業に習熟した専門家が使用するソフトである。このため、複雑な設定手順が必要となり、初心者には使用勝手が悪い。また、ファイル全体を上書きする必要から、ホームページのディレクトリ構造およびファイル構造を理解していなければ、誤った更新作業をしてしまう危険性が高い。加えて、ファイル自体を送信するので、更新に時間を要する。
【０００８】
本発明は、以上の問題を解決すべくなされたものであり、ＨＴＭＬに習熟しない初心者でも、簡単に、迅速に、確実にかつ自由なレイアウトにて編集・更新作業ができ、しかも、メモリ容量が少ないＰＤＡ端末あるいは携帯端末でも、特定のブラウザの機能に依存せずに、編集・更新作業ができるホームページ編集用サーバ、ホームページ編集方法およびホームページ編集用プログラムを提供することを目的とする。
【０００９】
【課題を解決するための手段】
上記目的を達成するために、本発明は、通信端末との間で、通信回線を介してデータの送受信が可能であって、通信端末からの指示に基づいてホームページの編集を行うためのホームページ編集用サーバであって、ホームページを編集するための信号をトリガとして、ホームページを構成するオブジェクトを抽出するオブジェクト抽出手段と、その抽出されたオブジェクトに、オブジェクト管理ＩＤを割り当てるオブジェクト管理ＩＤ割り当て手段と、通信端末に、編集可能なオブジェクトを配置したページを表示させるページ表示処理手段と、編集する箇所の指示をトリガとして、その箇所のオブジェクト管理ＩＤを特定するオブジェクト管理ＩＤ特定手段と、そのオブジェクト管理ＩＤに対応するオブジェクトを、編集フォーム内に表示する編集フォーム表示処理手段と、更新対象のオブジェクトを特定する更新オブジェクト特定手段と、更新前のオブジェクトを、更新対象のオブジェクトに差し替えるオブジェクト差し替え手段と、その更新対象のオブジェクトにオブジェクト管理ＩＤを割り当てる更新オブジェクト管理ＩＤ割り当て手段と、通信端末に、更新後のページを表示させる更新ページ表示処理手段とを備える、ホームページ編集用サーバとしている。
【００１０】
また、別の本発明は、ホームページがリンク先の情報を持つ場合に、そのリンク先のアドレスおよびそのアドレスにあるページを構成するオブジェクトの内少なくとも１つのリンク情報を特定し、その特定されたリンク情報を、オブジェクト管理ＩＤを割り当てるために、オブジェクト管理ＩＤ割り当て手段に向けて送るリンク情報処理手段と、編集フォームと共に、リンク情報を表示するリンク情報表示処理手段とを、さらに備えるホームページ編集用サーバとしている。
【００１１】
また、別の本発明は、さらに、オブジェクト抽出手段が特定の抽出条件に合致したオブジェクトのみを抽出するホームページ編集用サーバとしている。
【００１２】
また、別の本発明は、さらに、特定の抽出条件に合致したオブジェクトを文字と画像とするホームページ編集用サーバとしている。
【００１３】
また、別の本発明は、さらに、オブジェクト抽出手段がホームページを編集する管理者の管理者特定情報に基づいて、オブジェクトの抽出方法を変えるホームページ編集用サーバとしている。
【００１４】
また、別の本発明は、さらに、オブジェクト抽出手段がタグに挟まれたオブジェクトの単位に、オブジェクトを抽出するホームページ編集用サーバとしている。
【００１５】
また、別の本発明は、さらに、オブジェクト抽出手段が特定のタグに挟まれたオブジェクトの単位に、オブジェクトを抽出するホームページ編集用サーバとしている。
【００１６】
また、別の本発明は、さらに、オブジェクト抽出手段が複数のタグを含む単位で、オブジェクトを抽出するホームページ編集用サーバとしている。
【００１７】
また、別の本発明は、さらに、オブジェクト管理ＩＤ割り当て手段が特定のタグにも、オブジェクト管理ＩＤを付与するホームページ編集用サーバとしている。
【００１８】
また、別の本発明は、さらに、特定のタグが画像を挿入するために必要なタグであるホームページ編集用サーバとしている。
【００１９】
また、別の本発明は、さらに、編集フォーム内に画像挿入用特定タグが有るか否かを識別する特定タグ識別手段と、その画像挿入用特定タグが有る場合に、画像の挿入を可能とする画像挿入枠を表示する第１画像挿入枠表示処理手段とを備えるホームページ編集用サーバとしている。
【００２０】
また、別の本発明は、さらに、オブジェクト抽出手段により抽出されたオブジェクトの前または後ろに、別のオブジェクトを追加可能なポイントを付与するオブジェクト追加ポイント付与手段と、そのポイントの指示によって、画像の挿入を可能とする画像挿入枠を表示する第２画像挿入枠表示処理手段とを備えるホームページ編集用サーバとしている。
【００２１】
また、別の本発明は、さらに、編集フォーム内に、オブジェクトを追加可能なポイントを表示させるオブジェクト追加ポイント表示処理手段と、そのポイントの指示によって、画像の挿入を可能とする画像挿入枠を表示する第３画像挿入枠表示処理手段とを備えるホームページ編集用サーバとしている。
【００２２】
また、別の本発明は、さらに、編集フォーム表示処理手段がオブジェクトに含まれる改行タグの位置に画像の挿入を可能とする画像挿入枠を表示するホームページ編集用サーバとしている。
【００２３】
また、別の本発明は、さらに、ホームページのアドレスを受け付けるアドレス受付手段と、受け付けたアドレスにあるページのＨＴＭＬおよびオブジェクトを取り込むページ取り込み手段と、取り込んだファイルのファイルパスを登録するファイルパス登録手段と、ホームページのアクセス情報を生成するホームページアクセス情報生成手段と、アクセス情報を、通信端末の使用者に向けて通知するアクセス情報通知手段とを備えるホームページ編集用サーバとしている。
【００２４】
また、本発明は、通信回線を介して通信端末からの指示に基づいてホームページの編集を行うためのホームページ編集方法であって、ホームページを編集するための信号をトリガとして、ホームページを構成するオブジェクトを抽出するオブジェクト抽出ステップと、その抽出されたオブジェクトに、オブジェクト管理ＩＤを割り当てるオブジェクト管理ＩＤ割り当てステップと、通信端末に、編集可能なオブジェクトを配置したページを表示させるページ表示処理ステップと、編集する箇所の指示をトリガとして、その箇所のオブジェクト管理ＩＤを特定するオブジェクト管理ＩＤ特定ステップと、そのオブジェクト管理ＩＤに対応するオブジェクトを、編集フォーム内に表示する編集フォーム表示処理ステップと、更新対象のオブジェクトを特定する更新オブジェクト特定ステップと、更新前のオブジェクトを、更新対象のオブジェクトに差し替えるオブジェクト差し替えステップと、その更新対象のオブジェクトにオブジェクト管理ＩＤを割り当てる更新オブジェクト管理ＩＤ割り当てステップと、通信端末に、更新後のページを表示させる更新ページ表示処理ステップとを含むホームページ編集方法としている。
【００２５】
また、本発明は、コンピュータに読みとり可能な、通信回線を介して通信端末からの指示に基づいてホームページの編集を行うためのホームページ編集用プログラムであって、ホームページを編集するための信号をトリガとして、ホームページを構成するオブジェクトを抽出するオブジェクト抽出ステップと、その抽出されたオブジェクトに、オブジェクト管理ＩＤを割り当てるオブジェクト管理ＩＤ割り当てステップと、通信端末に、編集可能なオブジェクトを配置したページを表示させるページ表示処理ステップと、編集する箇所の指示をトリガとして、その箇所のオブジェクト管理ＩＤを特定するオブジェクト管理ＩＤ特定ステップと、そのオブジェクト管理ＩＤに対応するオブジェクトを、編集フォーム内に表示する編集フォーム表示処理ステップと、更新対象のオブジェクトを特定する更新オブジェクト特定ステップと、更新前のオブジェクトを、更新対象のオブジェクトに差し替えるオブジェクト差し替えステップと、その更新対象のオブジェクトにオブジェクト管理ＩＤを割り当てる更新オブジェクト管理ＩＤ割り当てステップと、通信端末に、更新後のページを表示させる更新ページ表示処理ステップとを含むホームページ編集用プログラムとしている。
【００２６】
また、別の本発明は、さらに、ホームページがリンク先の情報を持つ場合に、そのリンク先のアドレスおよびそのアドレスにあるページを構成するオブジェクトの内少なくとも１つのリンク情報を特定し、その特定されたリンク情報を、オブジェクト管理ＩＤの割り当てを行う場所に送るリンク情報処理ステップと、編集フォームと共に、リンク情報を表示するリンク情報表示処理ステップとを含むホームページ編集用プログラムとしている。
【００２７】
また、別の本発明は、さらに、オブジェクト抽出ステップが特定の抽出条件に合致したオブジェクトのみを抽出するホームページ編集用プログラムとしている。
【００２８】
また、別の本発明は、さらに、特定の抽出条件に合致したオブジェクトを文字と画像とするホームページ編集用プログラムとしている。
【００２９】
また、別の本発明は、さらに、オブジェクト抽出ステップがホームページを編集する管理者の管理者特定情報に基づいて、オブジェクトの抽出方法を変えるホームページ編集用プログラムとしている。
【００３０】
また、別の本発明は、さらに、オブジェクト抽出ステップがタグに挟まれたオブジェクトの単位に、オブジェクトを抽出するホームページ編集用プログラムとしている。
【００３１】
また、別の本発明は、さらに、オブジェクト抽出ステップが特定のタグに挟まれたオブジェクトの単位に、オブジェクトを抽出するホームページ編集用プログラムとしている。
【００３２】
また、別の本発明は、さらに、オブジェクト抽出ステップが複数のタグを含む単位で、オブジェクトを抽出するホームページ編集用プログラムとしている。
【００３３】
また、別の本発明は、さらに、オブジェクト管理ＩＤ割り当てステップが、特定のタグにも、オブジェクト管理ＩＤを付与するホームページ編集用プログラムとしている。
【００３４】
また、別の本発明は、さらに、特定のタグを、画像を挿入するために必要なタグとするホームページ編集用プログラムとしている。
【００３５】
また、別の本発明は、さらに、編集フォーム内に、画像挿入用特定タグが有るか否かを識別する特定タグ識別ステップと、その画像挿入用特定タグが有る場合に、画像の挿入を可能とする画像挿入枠を表示する第１画像挿入枠表示処理ステップとを含むホームページ編集用プログラムとしている。
【００３６】
また、別の本発明は、さらに、オブジェクト抽出ステップの実行により抽出されたオブジェクトの前または後ろに、別のオブジェクトを追加可能なポイントを付与するオブジェクト追加ポイント付与ステップと、そのポイントの指示によって、画像の挿入を可能とする画像挿入枠を表示する第２画像挿入枠表示処理ステップとを含むホームページ編集用プログラムとしている。
【００３７】
また、別の本発明は、さらに、編集フォーム内に、オブジェクトを追加可能なポイントを表示させるオブジェクト追加ポイント表示処理ステップと、そのポイントの指示によって、画像の挿入を可能とする画像挿入枠を表示する第３画像挿入枠表示処理ステップとを含むホームページ編集用プログラムとしている。
【００３８】
また、別の本発明は、さらに、編集フォーム表示処理ステップがオブジェクトに含まれる改行タグの位置に画像の挿入を可能とする画像挿入枠を表示するホームページ編集用プログラムとしている。
【００３９】
また、別の本発明は、さらに、ホームページのアドレスを受け付けるアドレス受付ステップと、受け付けたアドレスにあるページのＨＴＭＬおよびオブジェクトを取り込むページ取り込みステップと、取り込んだファイルのファイルパスを登録するファイルパス登録ステップと、ホームページのアクセス情報を生成するホームページアクセス情報生成ステップと、アクセス情報を、通信端末の使用者に向けて通知するアクセス情報通知ステップとを含むホームページ編集用プログラムとしている。
【００４０】
【発明の実施の形態】
以下、本発明の実施の形態について、図面に基づいて説明する。
【００４１】
図１は、本発明のホームページ編集用サーバ１を含むホームページ編集システムの構成を示す図である。このシステムにおいて、ホームページ編集用サーバ１は、通信回線としての一形態であるインターネット２を介して、通信端末３と接続されている。ただし、インターネット２以外の通信回線を利用しても良い。この実施の形態では、便宜上、通信端末３を、一般ユーザがネットサーフィンをするために使用する一般ユーザ端末３ａと、ホームページの編集等を行う管理者が使用する管理者端末３ｂとに分けることとする。通信端末３ａ，３ｂは、一般にパソコンであるが、ＰＤＡ携帯端末であっても良いし、インターネットブラウジング可能な携帯端末であっても良い。
【００４２】
まず、ホームページ編集用サーバ１の各構成の機能につき、簡単に説明する。ホームページ編集用サーバ１は、オブジェクト抽出デバイス１０と、オブジェクト編集デバイス２０と、オブジェクト更新デバイス３０と、オブジェクト管理ＩＤ管理デバイス４０と、ホームページデータ格納部５０と、ログイン管理デバイス６０と、ホームページ登録デバイス６５とを備えている。
【００４３】
オブジェクト抽出デバイス１０は、管理者端末３ｂから、ログイン等の指示を受けて起動する。オブジェクト抽出デバイス１０は、管理者端末３ｂから、ホームページのＨＴＭＬファイルの編集の指示を受けると、編集対象となるＨＴＭＬファイルを解析し、ＨＴＭＬタグ（＜ＦＯＮＴ＞、＜ＩＭＧ＞等）の中から文字部分および画像部分を主体として抽出条件に合致したＨＴＭＬオブジェクトを抽出する装置である。抽出されたオブジェクトは、後述のオブジェクト管理ＩＤ管理デバイス４０を通じて、「オブジェクト管理ＩＤ」という各オブジェクトに固有の番号を付される。オブジェクト抽出デバイス１０は、オブジェクト管理ＩＤが付されたオブジェクトを、管理者端末３ｂのブラウザソフトに表示させる。なお、オブジェクト管理ＩＤは、編集の都度変わりうる番号、文字、記号等であり、連続した番号等であるか否かを問わない。また、管理者端末３ｂからの指示は、一般的には、マウス等によるクリックにより実行されるが、ブラウザの機能を使ってフォーカスされた状態でＥｎｔｅｒキーの押圧指示により実行されても良い。以後、管理者端末３ｂからの各種指示についても、同様である。
【００４４】
オブジェクト編集デバイス２０は、管理者端末３ｂから、オブジェクト抽出デバイス１０が表示したオブジェクト一覧の一部の選択指示を受けると、当該選択指示をトリガとして起動する。オブジェクト編集デバイス２０は、オブジェクト抽出デバイス１０からオブジェクト管理ＩＤを受け取って、後述するオブジェクト管理ＩＤ管理デバイス４０から、そのオブジェクト管理ＩＤと関連づけられたオブジェクトを受け取る。その後、オブジェクト編集デバイス２０は、受け取ったオブジェクトを記述した編集フォームを管理者端末３ｂに表示させ、編集可能な状態とする。なお、オブジェクト編集デバイス２０は、オブジェクト管理ＩＤ管理デバイス４０を経由せずに、オブジェクト抽出デバイス１０から、オブジェクトを受け取るようにしても良い。
【００４５】
オブジェクト更新デバイス３０は、管理者端末３ｂから、ホームページの編集後の更新指示を受けると、起動する。オブジェクト更新デバイス３０は、編集後のオブジェクトの内容を、オブジェクト管理ＩＤでマッチングした編集前のオブジェクトと差し替えて、元のホームページのファイルに上書きした後に、更新後のページを管理者端末３ｂに表示させる。
【００４６】
オブジェクト管理ＩＤ管理デバイス４０は、先に説明したオブジェクト抽出デバイス１０、オブジェクト編集デバイス２０およびオブジェクト更新デバイス３０が共用するモジュールを備え、ＨＴＭＬオブジェクトとそのオブジェクトに付与されるオブジェクト管理ＩＤの関連づけを行う装置である。このため、オブジェクト抽出デバイス１０、オブジェクト編集デバイス２０およびオブジェクト更新デバイス３０は、同一のロジック、同一のサブルーチンを共用し、各処理毎に、オブジェクト管理ＩＤを生成させている。したがって、編集対象のオブジェクトの誤認、置換ミスが生じない。
【００４７】
ホームページデータ格納部５０は、ホームページを構成する１または２以上のＨＴＭＬファイルを格納する領域である。また、ログイン管理デバイス６０は、管理者という特定のユーザのみがホームページを編集できるように、ユーザＩＤおよびパスワード（これらを、「管理者特定情報」という）によって、編集を許可する装置である。ログイン情報は、ＧＥＴ変数やフォームで受け渡しても、あるいはクッキーファイルを利用して入力しても良い。なお、ホームページ登録デバイス６５については、後述する。
【００４８】
次に、オブジェクト抽出デバイス１０、オブジェクト編集デバイス２０、オブジェクト更新デバイス３０およびオブジェクト管理ＩＤ管理デバイス４０の内部構成につき、図２に基づいて、詳細に説明する。なお、図２に示す構成は、各構成の機能（ファンクション）に基づいて表示されている。
【００４９】
オブジェクト抽出デバイス１０は、データ送受信部１１と、オブジェクト抽出部１２と、リンク情報処理部１３と、編集モード表示処理部１４とを備えている。データ送受信部１１は、外部の構成部、外部の装置との間でデータの送信および受信を行う構成部である。オブジェクト抽出部１２は、ホームページの編集指示をトリガとして、ホームページを構成するオブジェクトを抽出するオブジェクト抽出手段である。ここで、編集指示は、ログインの指示であっても、編集モードの指示であっても良い。
【００５０】
オブジェクトの抽出は、特定の抽出条件に合致したオブジェクトに対してのみ行われる。ＨＴＭＬに習熟していない初心者（以後、単に、「初心者」とう）を考慮すると、当該抽出条件は、ページ内の文字と画像を抽出するという条件とするのが好ましい。ただし、ページ内の文字と画像に限定されず、背景画像、背景色、ＭＡＰ位置情報等を含めて、抽出するようにしても良い。この場合、後述の編集フォーム内にこれらを表示することはできないが、画面の上下左右等の欄外、あるいはポップアップにてオブジェクト編集デバイス２０へのリンクまたはボタン等の指示により別個に表示させても良い。また、基本的な抽出条件を、文字と画像にし、ユーザの選択によって、別の抽出条件を設定可能にしても良い。さらに、ユーザＩＤ等の管理者特定情報に基づいて、複数の抽出条件を設定できるようにしても良い。また、文字の抽出については、あらゆるタグ毎に抽出しても、特定のタグ毎に抽出しても良い。また、タグを複数含む単位で、文字を抽出しても良い。
【００５１】
リンク情報処理部１３は、ホームページ内において、ハイパーリンクを含むオブジェクト（＝有リンクオブジェクト）の有無を判別し、有リンクオブジェクトが存在する場合には、当該オブジェクトと、リンク先のＵＲＬ等を抽出する処理を行うリンク情報処理手段である。オブジェクト抽出後の表示は、オブジェクト編集デバイス２０の起動および編集フォームの表示のためのリンクを要する。このため、元々存在するハイパーリンクを、そのまま編集できない。したがって、有リンクオブジェクトが有る場合、リンク情報処理部１３は、そのオブジェクトと、リンク先のＵＲＬとを抽出し、データ送受信部１１によって、これらをオブジェクト管理ＩＤ管理デバイス４０へと送る。
【００５２】
編集モード表示処理部１４は、編集部分を指示可能な状態で、管理者端末３ｂに編集用のホームページを表示させるページ表示処理手段である。表示方法の最良の形態は、一般ユーザ端末３ａのブラウザを立ち上げた状態で見るホームページと略同一形態である。「略同一形態」とは、文字、画像、背景画像、背景色等の配置を同一とした形態をいう。したがって、追加の表示あるいは足りない表示が存在していても、略同一形態という。また、編集モード表示処理部１４は、一般ユーザ端末３ａのブラウザを立ち上げた状態で見るホームページと異なる形態で、編集用のホームページを表示させても良い。これについては、後で詳述する。
【００５３】
オブジェクト編集デバイス２０は、データ送受信部２１と、オブジェクト管理ＩＤ特定部２２と、リンク情報表示処理部２３と、編集フォーム表示処理部２４とを備えている。データ送受信部２１は、外部の構成部、外部の装置との間でデータの送信および受信を行う構成部である。オブジェクト管理ＩＤ特定部２２は、管理者端末３ｂから、編集対象のオブジェクトの表示部分の指示を受けると、その箇所の指示をトリガとして、編集対象のオブジェクトに対応するオブジェクト管理ＩＤを特定するオブジェクト管理ＩＤ特定手段である。オブジェクト管理ＩＤの特定後、オブジェクト管理ＩＤは、オブジェクト抽出デバイス１０からオブジェクト編集デバイス２０に送られる。
【００５４】
また、リンク情報表示処理部２３は、リンク情報処理部１３によってオブジェクト管理ＩＤ管理デバイス４０に送られたリンク情報（リンク表示、ＵＲＬ等）とを、編集フォームと共に表示する処理を行うリンク情報表示処理手段である。編集フォーム表示処理部２４は、特定されたオブジェクト管理ＩＤと関連づけられているオブジェクトを表示した編集フォームを、管理者端末３ｂに表示させる編集フォーム表示処理手段である。編集フォーム内のオブジェクトは、管理者端末３ｂから編集可能に表示されている。
【００５５】
オブジェクト更新デバイス３０は、データ送受信部３１と、更新オブジェクト特定部３２と、更新ページ表示処理部３３とを備えている。データ送受信部３１は、外部の構成部、外部の装置との間でデータの送信および受信を行う構成部である。更新オブジェクト特定部３２は、更新指示の受付後に、編集フォーム内に記述された更新対象のオブジェクト（これを、「更新オブジェクト」という）を特定する更新オブジェクト特定手段である。更新ページ表示処理部３３は、更新オブジェクトを含めた更新後のページを、管理者端末３ｂに表示させる処理を行う更新ページ表示処理手段である。
【００５６】
オブジェクト管理ＩＤ管理デバイス４０は、データ送受信部４１と、オブジェクト管理ＩＤ割り当て部４２と、オブジェクトデータ入出力部４３と、プログラム格納部４４とを備えている。データ送受信部４１は、外部の構成部、外部の装置との間でデータの送信および受信を行う構成部である。オブジェクト管理ＩＤ割り当て部４２は、オブジェクト抽出部１２が抽出したオブジェクトに、オブジェクト管理ＩＤを割り当てるオブジェクト管理ＩＤ割り当て手段であると共に、更新オブジェクト特定部３２が特定した更新オブジェクトに、オブジェクト管理ＩＤを割り当てる更新オブジェクト管理ＩＤ割り当て手段である。
【００５７】
オブジェクトデータ入出力部４３は、外部の構成部、外部の装置との間でデータの送信および受信を行う構成部である。オブジェクトデータ入出力部４３は、オブジェクト管理ＩＤの割り当てに先立ち、ホームページデータ格納部５０からオブジェクトを受け取る。また、オブジェクトデータ入出力部４３は、オブジェクトの更新の際、オブジェクト更新デバイス３０から起動されて、更新対象のオブジェクトを、更新前のオブジェクトに上書きして、ホームページデータ格納部５０に入力（格納）するオブジェクト差し替え手段である。
【００５８】
プログラム格納部４４は、データ送受信部１１、オブジェクト抽出部１２、リンク情報処理部１３、編集モード表示処理部１４、データ送受信部２１、オブジェクト管理ＩＤ特定部２２、リンク情報表示処理部２３、編集フォーム表示処理部２４、データ送受信部３１、更新オブジェクト特定部３２、更新ページ表示処理部３３、データ送受信部４１、オブジェクト管理ＩＤ割り当て部４２およびオブジェクトデータ入出力部４３の処理動作を制御するホームページ編集用プログラムを格納した構成部である。上記構成部１１，１２，１３等は、プログラム格納部４４内のプログラムを読み出して、データの送受信、オブジェクト管理ＩＤの割り当て等の処理を実行する。ホームページ編集用プログラムは、オブジェクト抽出デバイス１０、オブジェクト編集デバイス２０およびオブジェクト更新デバイス３０が共用するプログラムであり、オブジェクト管理ＩＤを各デバイスの処理毎に生成させる機能を有する。
【００５９】
次に、管理者端末３ｂからの指示および入力に基づいて、本発明のホームページ編集用サーバ１が行う処理を、管理者端末３ｂのブラウザソフトに表示される画面の流れに沿って説明する。
【００６０】
図３は、一般ユーザ端末３ａおよび管理者端末３ｂに共通して表示される、ホームページのあるページ（このページを、「元ページ」という）を示す図である。この元ページは、画像７１、画像７２、画像７３、画像７４、画像７５、画像７６、文字７７、文字７８、文字７９、文字８０、画像８１、文字８２、画像８３および文字（＝「ログイン」）８４を有している。文字７７、文字７８、文字７９、文字８２および文字８４は、クリック等によりリンク先のページに移行可能にリンク処理されている文字である。ログイン８４は、クリック等の指示後に表示されるユーザ情報入力画面（図示省略）に、管理者固有のユーザＩＤおよびパスワードを入力することによってのみ、編集モードに移行可能とする表示部分である。
【００６１】
管理者が適切なユーザＩＤとパスワードを入力すると、管理者端末３ｂのブラウザに、図４に示す表示モード画面が表示される。この表示モード画面には、図３に示す画面にはない、文字（＝「ログアウト」）８５と文字（＝「編集モード」）８６が表示されている。ログアウト８５は、図３に示す画面に戻るリンクが張られた部分である。編集モード８６は、編集モード画面に移行するリンクが張られた部分である。なお、以後、異なる画面上であっても、同じオブジェクトには、同一の符号を付すこととする。
【００６２】
管理者端末３ｂから、編集モード８６を指示する信号が送られると、その指示をトリガとして、オブジェクト抽出デバイス１０が起動する。オブジェクト抽出部１２は、ある抽出条件に合致したオブジェクト（ここでは、説明の簡略化のため、当該オブジェクトを文字と画像のみとする）を抽出する。続いて、データ送受信部１１は、抽出されたオブジェクトをデータ送受信部４１に受け渡す。次に、オブジェクトデータ入出力部４３は、ホームページデータ格納部５０から、オブジェクトを読み出して、これをオブジェクト管理ＩＤ割り当て部４２に送る。オブジェクト管理ＩＤ割り当て部４２は、オブジェクトに、オブジェクト管理ＩＤを割り当てる。次に、データ送受信部４１は、オブジェクトとそれに対応するオブジェクト管理ＩＤとをオブジェクト抽出デバイス１０に向けて送信する。
【００６３】
なお、リンク情報処理部１３は、他のページへのリンク情報を有する有リンクオブジェクトとリンク先のＵＲＬの有無を判別し、有リンクオブジェクトが有れば、そのオブジェクト（文字７７、文字７８等）とリンク先のＵＲＬ等を、抽出されたオブジェクトと共に、データ送受信部１１からデータ送受信部４１に送る。その後、編集モード表示処理部１４は、管理者端末３ｂのブラウザに、図５に示す編集モード画面を表示させる。
【００６４】
この編集モード画面には、文字（＝「ログアウト」）８５と、編集モード選択用ウィンドウ８７とが表示されている。編集モード選択用ウィンドウ８７には、ウィンドウ拡大表示指示部８７ａが設けられている。基本的な編集モードは、文字および画像のみの編集であるが、管理者は、選択により、別の編集モードを選択できる。別の編集モードを選択した場合には、オブジェクト抽出部１２は、その編集モードの抽出条件に適したオブジェクトの再抽出を行う。したがって、図５に示す編集モード画面は、別の編集モード画面となる。
【００６５】
ログアウト８５および編集モード選択用ウィンドウ８７の上方には、図４に示す表示モード画面と共通するオブジェクト７１〜８３までが表示されている。しかし、見かけ上、同じ表示に見えても、図５の編集モード画面におけるオブジェクトは、編集したいオブジェクトが選択可能に処理されている。管理者端末３ｂから、編集したいオブジェクトの指示があると、その指示をトリガとして、オブジェクト編集デバイス２０が起動する。
【００６６】
図６は、図５に示す編集モード画面上にある文字８０を指示することによって、管理者端末３ｂのブラウザに表示される画面を示す図である。文字８０の指示をトリガとして、オブジェクト編集デバイス２０が起動すると、オブジェクト管理ＩＤ特定部２２は、指示されたオブジェクト（ここでは、文字８０）のある箇所のオブジェクト管理ＩＤを特定する。この特定されたオブジェクト管理ＩＤは、データ送受信部１１から、データ送受信部２１へ、さらにはデータ送受信部４１へと送られる。オブジェクトデータ入出力部４３は、ホームページデータ格納部５０から、当該オブジェクト管理ＩＤに対応するオブジェクトを検索し、検索されたオブジェクトをデータ送受信部４１を経由して、データ送受信部２１に送る。編集フォーム表示処理部２４は、文字８０というオブジェクトを記述した編集フォームを管理者端末３ｂに表示させる。
【００６７】
図６は、管理者端末３ｂのブラウザに表示される画面であって、編集フォーム９０、更新ボタン９１、画像挿入ボタン９２および戻るボタン９３を含む画面の一例である。編集フォーム９０内にある編集用文字９４は、図５の編集モード画面において指示された文字８０と同じオブジェクトである。管理者は、管理者端末３ｂを用いて、編集フォーム９０内にある編集用文字９４を、削除、変更等することができる。更新ボタン９１は、編集完了後に押すボタンである。画像挿入ボタン９２は、文中に、画像を挿入したい場合に、カーソルを挿入場所にセットしてから押すボタンである。戻るボタン９３は、前の画面に戻りたい場合に押すボタンである。
【００６８】
図７は、編集フォーム９０内に、新規文字９５を入力した状態を示す図である。新規文字９５を入力して編集を完了したい場合には、管理者は、更新ボタン９１を押す。すると、更新ボタン９１の指示をトリガとして、オブジェクト更新デバイス３０が起動する。更新オブジェクト特定部３２は、編集フォーム９０内の更新対象のオブジェクト（この例では、編集用文字９４と新規文字９５）を特定する。次に、オブジェクト編集デバイス２０は、オブジェクト管理ＩＤを、オブジェクト更新デバイス３０に送信する。オブジェクト更新デバイス３０は、オブジェクト管理ＩＤを受け取って、更新オブジェクトをデータ送受信部４１に送る。オブジェクトデータ入出力部４３は、更新前のオブジェクトに上書きして、更新オブジェクトを、ホームページデータ格納部５０に格納する。オブジェクト管理ＩＤ割り当て部４２は、更新オブジェクトに対して、オブジェクト管理ＩＤを割り当てる。更新ページ表示処理部３３は、更新後のページを管理者端末３ｂに表示させる。
【００６９】
図８は、更新後のページを示す編集モード画面である。図５に示す編集モード画面と比較すると明らかなように、更新後の編集モード画面には、新規文字９６が追加されている。ここでは、新規文字９６には、文字８０と同じオブジェクト管理ＩＤが付与されている。したがって、新規文字９６を変更したい場合には、図８の編集モード画面から、新規文字９６をマウス等によりクリックすると、文字８０と新規文字９６が編集フォーム９０に表示される。ただし、編集フォーム９０内のオブジェクトを複数のオブジェクトとして、複数のオブジェクト管理ＩＤを付与するようにしても良い。また、その場合に、オブジェクトの切り分けを、一行空きまたは改行によって判断しても良い。図８の編集モード画面から、ログアウト８５を指示すると、図３に示す表示モード画面に戻る（ただし、新規文字９６が追加されたページの画面となる）。
【００７０】
図６から図８までの画面の流れは、文字を編集するときの流れであるが、画像を変更したい場合もある。図８の編集モード画面の画像７１を指示すると、図９に示す編集フォーム１００を含む画面が、管理者端末３ｂのブラウザに表示される。この編集フォーム１００は、現在の画像（ここでは、画像７１）を表示する現画像表示欄１０１と、新しい画像を選択可能な新画像選択表示欄１０２とを有する。新画像選択表示欄１０２には、ドライブ選択ウィンドウ１０３とファイル選択ウィンドウ１０４とが設けられている。管理者は、ウィンドウ拡大表示指示部１０３ａを指示して、新規画像のファイルが記録されているドライブを選択し、続いて、ウィンドウ拡大表示指示部１０４ａを指示して、新規画像のファイルを選択することができる。
【００７１】
また、図９の画面には、画像差し替えボタン１０５と、画像削除ボタン１０６と、戻るボタン１０７が設けられている。画像差し替えボタン１０５は、前述の更新ボタン９１に相当するボタンである。画像削除ボタン１０６は、現在の画像（画像７１）を削除することを決定するボタンであり、更新ボタン９１としての機能も有する。戻るボタン１０７は、前の画面に戻りたい場合に押すボタンである。新画像選択表示欄１０２で好みの画像を選択して、画像差し替えボタン１０５を指示し、編集モード画面においてログアウト８５を指示すると、図１０に示すように、画像７１から新規画像１１１に変更した表示モード画面が表示される。
【００７２】
また、図８の編集モード画面から、文字７９を指示した場合には、編集フォーム表示処理部２４と共に、リンク情報表示処理部２３が起動する。リンク情報表示処理部２３は、文字７９を記述する編集フォーム９０とは別個に、その文字７９のリンク先のアドレス（ここでは、ＵＲＬとする）と、そのＵＲＬの場所にあるファイルへのリンク表示を、管理者端末３ｂに表示させる。
【００７３】
図１１は、編集フォーム９０と、文字７９のリンク先のＵＲＬと、そのＵＲＬの場所にあるファイルへのリンクとを有する画面である。編集フォーム９０内には、編集可能な文字１１２が表示されている。また、編集フォーム９０の下には、ＵＲＬが入力されたリンク表示欄１１３と、指示によってリンク先のページを表示可能なリンク表示１１４とが表示されている。リンク表示１１４を指示すると、図４の表示モード画面における編集モード８６の指示と同様、リンク表示１１４の指示をトリガとして、オブジェクト抽出デバイス１０が起動する。その結果、オブジェクトの抽出から編集モード画面の表示までの先に説明したと同様の一連の処理が実行される。したがって、リンク先のページの編集も可能となる。
【００７４】
次に、本発明のホームページ編集用プログラムの処理の流れについて、図面に基づいて説明する。図１２から図１４は、本発明のホームページ編集用プログラムの処理の流れを示すフローチャートである。なお、前述の管理者端末３ｂのブラウザに表示される画面の説明において、本発明のホームページ編集用プログラムの処理の概要が説明されているので、以下、プログラムの処理について、簡単に説明する。
【００７５】
管理者が、管理者端末３ｂのブラウザから、適切なユーザＩＤとパスワードを入力すると、このプラグラムは、ログインの許可を実行する（ステップＳ２０１）。次に、このプログラムは、表示モード画面の表示を実行する（ステップＳ２０２）。次に、このプログラムは、管理者からの編集モードの指示を受け付け（ステップＳ２０３）、オブジェクト抽出デバイス１０を起動する（ステップＳ２０４）。続いて、このプログラムは、抽出条件に基づいたオブジェクトの抽出を実行する（ステップＳ２０５：オブジェクト抽出ステップ）。次に、このプログラムは、オブジェクト中に、リンク情報があるか否かを判別する（ステップＳ２０６）。
【００７６】
その判別の結果、リンク情報がある場合には、このプログラムは、そのリンク先のＵＲＬ等を抽出する（ステップＳ２０７：リンク情報処理ステップ）。次に、このプログラムは、オブジェクト管理ＩＤの割り当てを行う領域に向けて、オブジェクトを送信する（ステップＳ２０８）。次に、このプログラムは、抽出されたオブジェクト等に対して、オブジェクト管理ＩＤを割り当てる（ステップＳ２０９：オブジェクト管理ＩＤ割り当てステップ）。その後、このプログラムは、オブジェクト管理ＩＤと共に、オブジェクトをオブジェクト抽出デバイス１０に向けて送信する（ステップＳ２１０）。
【００７７】
次に、オブジェクト管理ＩＤとオブジェクトの受信（ステップＳ２１１）に続いて、このプログラムは、編集モード画面の表示処理を実行する（ステップＳ２１２：ページ表示処理ステップ）。次に、このプログラムは、抽出条件の変更があるか否かの判別を実行する（ステップＳ２１３）。その判別の結果、抽出条件の変更があると、ステップＳ２０５に戻る。一方、抽出条件の変更がないと、編集対象オブジェクトの指示があるか否かの判別を実行する（ステップＳ２１４）。その判別の結果、編集対象オブジェクトの指示がないと、このプログラムは、ステップＳ２１４の待機状態となる。
【００７８】
一方、編集対象オブジェクトの指示があると、このプログラムは、オブジェクト編集デバイス２０の起動を実行する（ステップＳ２１５）。次に、このプログラムは、オブジェクト管理ＩＤの特定を実行する（ステップＳ２１６：オブジェクト管理ＩＤ特定ステップ）。その後、このプログラムは、特定されたオブジェクト管理ＩＤを、オブジェクト編集デバイス２０へと送信する（ステップＳ２１７）。オブジェクト編集デバイス２０にオブジェクト管理ＩＤが受信されると（ステップＳ２１８）、このプログラムは、オブジェクト管理ＩＤに対応したオブジェクトの出力（検索と当該オブジェクトの入手）を実行する（ステップＳ２１９）。次に、このプログラムは、入手したオブジェクトを、オブジェクト編集デバイス２０に向けて送信する（ステップＳ２２０）。
【００７９】
オブジェクトがオブジェクト編集デバイス２０に受信されると（ステップＳ２２１）、このプログラムは、リンク情報の有無の判別を実行する（ステップＳ２２２）。その判別の結果、リンク情報がある場合には、このプログラムは、リンク表示を実行する（ステップＳ２２３：リンク情報表示処理ステップ）。一方、このプログラムは、リンク情報がない場合、およびリンク情報がある場合にはステップＳ２２３に続いて、編集フォームの表示処理を行う（ステップＳ２２４：編集フォーム表示処理ステップ）。その後、管理者による編集作業が行われた後、このプラグラムは、更新指示があるか否かの判別を実行する（ステップＳ２２５）。その判別の結果、更新指示がないと、ステップＳ２２５の実行が継続され、待機状態となる。
【００８０】
一方、更新指示があると、このプログラムは、オブジェクト更新デバイス３０を起動する（ステップＳ２２６）。続いて、このプログラムは、オブジェクト管理ＩＤの特定をし（ステップＳ２２７）、特定されたオブジェクト管理ＩＤを、オブジェクト更新デバイス３０に送信する（ステップＳ２２８）。オブジェクト管理ＩＤがオブジェクト更新デバイス３０に受信された後（ステップＳ２２９）、このプログラムは、更新オブジェクトの特定を実行する（ステップＳ２３０：更新オブジェクト特定ステップ）。次に、このプログラムは、更新対象のオブジェクトを、更新前のオブジェクトと差し替える（ステップＳ２３１：オブジェクト差し替えステップ）。次に、このプログラムは、ホームページデータ格納部５０に、更新オブジェクトを含むＨＴＭＬファイルを入力（格納）する（ステップＳ２３２）。
【００８１】
続いて、このプログラムは、更新オブジェクトにオブジェクト管理ＩＤを割り当てる（ステップＳ２３３）。次に、このプログラムは、更新ページの表示処理を実行する（ステップＳ２３４：更新ページ表示処理ステップ）。続いて、このプログラムは、管理者から編集モードの指示があるか否かの判別を実行する（ステップＳ２３５）。その判別の結果、編集モードの指示があると、ステップＳ２０４に戻る。一方、編集モードの指示がないと、このプログラムは、ログアウトの判別を実行する（ステップＳ２３６）。ログアウトの指示がないと、ステップＳ２３４に戻り、更新ページの表示を継続する。一方、ログアウトの指示があると、ホームページ編集の処理は終了する。
【００８２】
次に、本発明のホームページ編集用サーバ１を用いて、ホームページに新規画像を追加する処理について、いくつかの手法のバリエーションを説明する。
【００８３】
まず、第１の手法について、図７に示す編集フォーム９０において編集用文字９４中の「工作」の直後に画像を挿入する場合を例に説明する。
【００８４】
図１５は、オブジェクト編集デバイス２０の別の形態を示す図である。このオブジェクト編集デバイス２０が図２に示すオブジェクト編集デバイス２０と異なる点は、特定タグ識別部２５を備えている点、編集フォーム表示処理部２４が画像挿入枠を表示する点である。特定タグ識別部２５は、編集フォーム９０内に、画像挿入用特定タグが有るか否かを識別する特定タグ識別手段である。また、編集フォーム表示処理部２４は、画像挿入用特定タグが有る場合に、画像の挿入を可能とする画像挿入枠を表示する第１画像挿入枠表示処理手段を兼ねる。
【００８５】
管理者は、図１６に示すように、「工作」の直後に新規画像を挿入したい場合、＜ＩＭＧ＞という画像タグ１２０を入力することができる。この状態で、画像挿入ボタン９２を指示すると、特定タグ識別部２５は、画像タグ１２０の存在を認識する。その結果、編集フォーム表示処理部２４は、図１７に示すような画像挿入用フォーム１２１と、画像挿入ボタン９２と、戻るボタン９３とを管理者端末３ｂのブラウザに表示させる。
【００８６】
画像挿入用フォーム１２１において、「工作」の直後には、画像挿入枠１２２が表示されている。画像挿入枠１２２には、ドライブ選択ウィンドウ１２３とファイル選択ウィンドウ１２４とが設けられている。管理者は、ウィンドウ拡大表示指示部１２３ａを指示して、新規画像のファイルが記録されているドライブを選択し、続いて、ウィンドウ拡大表示指示部１２４ａを指示して、新規画像のファイルを選択することができる。
【００８７】
新規画像の選択後に、画像挿入ボタン９２を指示すると、通常の更新ボタン９１の指示と同様、編集モード画面が表示される。図１８は、画像挿入ボタン９２の指示によって表示される編集モード画面の一例である。図１８から明らかなように、文字８０中の「工作」の直後に、新規画像１３０が挿入されている。
【００８８】
図１９は、第１の手法による新規画像の挿入処理のみを示す部分的なフローチャートであり、図１３のステップＳ２２４とステップＳ２２６の間に設けられる。ステップＳ２２４に続いて、本発明のホームページ編集用プログラムは、画像挿入ボタン９２が指示されたか否かを判別する（ステップＳ３０１）。その判別の結果、画像挿入ボタン９２が指示されない場合には、このプログラムは、図１３で示すステップＳ２２５と同じ判別ステップを実行する。さらに、ステップＳ２２５において、更新指示がない場合には、ステップＳ３０１に戻る。一方、更新指示がある場合には、図１３のステップＳ２２６に移行する。
【００８９】
また、ステップＳ３０１の判別の結果、画像挿入ボタン９２が指示されると、このプログラムは、画像挿入用特定タグの有無を識別する（ステップＳ３０２：特定タグ識別ステップ）。その識別の結果、画像挿入用特定タグがなければ、ステップＳ２２６に移行する。一方、当該特定タグがあれば、このプログラムは、画像挿入枠１２２を有する画像挿入用フォーム１２１を表示する（ステップＳ３０３：第１画像挿入枠表示処理ステップ）。続いて、このプログラムは、画像挿入ボタン９２が指示されたか否かの判別を実行する（ステップＳ３０４）。その判別の結果、画像挿入ボタン９２が指示されなければ、このプログラムは、ステップＳ３０４に戻り、判別を継続する。一方、画像挿入ボタン９２が指示されると、このプログラムは、ステップＳ２２６に移行する。
【００９０】
次に、第２の手法について説明する。
【００９１】
図２０は、オブジェクト抽出デバイス１０の別の形態を示す図である。このオブジェクト抽出デバイス１０が図２に示すオブジェクト抽出デバイス１０と異なる点は、オブジェクト追加ポイント付与手段であるオブジェクト追加ポイント付与部１５を備えている点、編集モード表示処理部１４が画像挿入枠を表示する第２画像挿入枠表示処理手段という点である。管理者が、図４の編集モード８６を指示すると、オブジェクト抽出部１２の処理動作と共に、オブジェクト追加ポイント付与部１５の処理動作も行われる。図１２のフローチャートのステップＳ２０５とステップＳ２０６の間には、オブジェクト抽出部１２が抽出したオブジェクトの前後に、ステップポイント追加ポイント付与部１５により、オブジェクト追加用のポイント（これを、「オブジェクト追加ポイント」という）を付与する、オブジェクト追加ポイントステップが存在する。オブジェクト管理ＩＤ割り当て部４２は、オブジェクトと、オブジェクト追加ポイントとに、それぞれオブジェクト管理ＩＤを割り当てる。その後の処理は、オブジェクト追加ポイントにもオブジェクト管理ＩＤが割り当てられているだけで、通常の編集モード画面の表示と同様の処理が行われる。図１２のステップＳ２１２は、第２画像挿入枠の表示を行う、第２画像挿入枠表示処理ステップとなる。
【００９２】
図２１は、図４の編集モード８６を指示して表示される、オブジェクト追加ポイント（「ｉ」で表示する部分）１３５を有する編集モード画面を示す図である。管理者が図２１に示されるオブジェクト追加ポイント１３５を指示すると、オブジェクト編集デバイス２０が起動し、その指示されたオブジェクト追加ポイント１３５に対応した編集フォームが表示される（図示省略）。編集フォームには、文字および画像のいずれを挿入するかの選択ボタンがある。管理者が画像の挿入を選択すると、画像ファイルのあるドライブを選択するウィンドウと、画像ファイルを選択するウィンドウとが表示される。管理者が挿入したい画像を特定し、更新ボタンを指示すると、オブジェクト追加ポイントに、選択した画像が挿入される。
【００９３】
次に、第３の手法について説明する。
【００９４】
図２２は、図５の文字８０を指示して表示される編集フォーム１４１および戻るボタン１４２を含む画面を示す図である。戻るボタン１４２は、直前の画面に戻るためのボタンである。編集フォーム表示処理部２４は、編集文字１４３の文字間に、オブジェクト追加用のポイント（これを、「オブジェクト追加ポイント」という）１４４を追加して表示する。この意味で、編集フォーム表示処理部２４は、オブジェクト追加ポイント表示処理手段である。
【００９５】
また、管理者が画像を挿入したい箇所のオブジェクト追加ポイント１４４を指示すると、編集フォーム表示処理部２４は、画像および文字の選択ボタンを表示する。また、管理者が画像の挿入を選択すると、編集フォーム表示処理部２４は、画像ファイルのあるドライブを選択するウィンドウと、画像ファイルを選択するウィンドウとを表示する。この意味で、編集フォーム表示処理部２４は、画像の挿入を可能とする画像挿入枠を表示する第３画像挿入枠表示処理手段である。管理者が挿入したい画像を特定し、更新ボタンを指示すると、指示したオブジェクト追加ポイント１４４の位置に、選択した画像が挿入される。なお、本発明のホームページ編集用プログラムでは、図１３のステップＳ２２４が、オブジェクト追加ポイント表示処理ステップを兼ねる。また、ステップＳ２２４とステップＳ２２５との間に、ポイントの指示の有無の判別に続く第３画像挿入枠表示処理ステップがくる。
【００９６】
次に、第４の手法について説明する。
【００９７】
図２３は、図５の文字８０を指示して表示される編集フォーム１５１、画像挿入ボタン１５２および戻るボタン１５３を含む画面を示す図である。画像挿入ボタン１５２は、更新ボタン９１の機能を持つ。また、戻るボタン１５３は、直前の画面に戻るためのボタンである。編集フォーム表示処理部２４は、文字８０に含まれる改行タグ（＝＜ＢＲ＞）を区切りとして、文字８０を分割して表示する。分割された文字は、図２３に示すように、編集フォーム１５１内の編集文字表示欄１５４，１５５にそれぞれ表示される。
【００９８】
また、編集文字表示欄１５４の上部には、ドライブ選択ウィンドウ１５７とファイル選択ウィンドウ１５８とが設けられている。すなわち、編集フォーム表示処理部２４は、抽出されたオブジェクトに含まれる改行タグの位置に画像の挿入を可能とする画像挿入枠を表示する。管理者は、画像を挿入したい箇所にカーソルを配置した上で、ウィンドウ拡大表示指示部１５７ａを指示して、新規画像のファイルが記録されているドライブを選択し、続いて、ウィンドウ拡大表示指示部１５８ａを指示することにより、挿入すべき新規画像のファイルを選択することができる。
【００９９】
さらに、編集文字表示欄１５５の上部には、ドライブ選択ウィンドウ１５９とファイル選択ウィンドウ１６０とが設けられている。管理者は、画像を挿入したい箇所にカーソルを配置した上で、ウィンドウ拡大表示指示部１５９ａを指示して、新規画像のファイルが記録されているドライブを選択し、続いて、ウィンドウ拡大表示指示部１６０ａを指示して、挿入すべき新規画像のファイルを選択することができる。画像選択後に、画像挿入ボタン１５２を押すと、新規画像を挿入したぺージを表示できる。
【０１００】
次に、既存のホームページを、本発明のホームページ編集用サーバ１にアップする方法について、図２４および図２５に基づいて説明する。
【０１０１】
図２４は、ホームページ登録デバイス６５の内部構成を示す図である。ホームページ登録デバイス６５は、データ送受信部６６と、ページ取り込み部６７と、ファイルパス登録部６８と、ホームページアクセス情報生成部６９とを備えている。
【０１０２】
データ送受信部６６は、ホームページ登録デバイス６５の外部構成部または外部装置との間で、データの送信および受信を行う構成部である。データ送受信部６６は、管理者端末３ｂから入力されたアドレス（例えば、ＵＲＬ）を受け付けるアドレス受付手段である。また、データ送受信部６６は、ホームページアクセス情報生成部６９が生成したアクセス情報を、通信端末３の使用者に向けて通知するアクセス情報通知手段である。
【０１０３】
ページ取り込み部６７は、受け付けられたＵＲＬから取得可能なＨＴＭＬと、ページ上に表示されている画像等のオブジェクト全てを、ＨＴＴＰプロトコルでサーバー内に取り込む、ページ取り込み手段である。ファイルパス登録部６８は、管理区画とユーザー区画を作成し、取り込んだファイルのサーバー内ファイルパスを登録するファイルパス登録手段である。
【０１０４】
ホームページアクセス情報生成部６９は、新しいページのＵＲＬに代表されるホームページのアクセス情報を生成するホームページアクセス情報生成手段である。ホームページアクセス情報生成部６９は、ページとは個別にログインパネルを提供する場合には、ログインＵＲＬも生成する。また、新規ユーザの場合には、ユーザＩＤとパスワードとを生成する。なお、ユーザＩＤは、ＵＲＬに含めることもできる。
【０１０５】
なお、データ送受信部６６、ページ取り込み部６７、ファイルパス登録部６８およびホームページアクセス情報生成部６９の各処理動作は、プログラム格納部４５内のホームページ編集用プログラムによって制御されている。
【０１０６】
図２５は、ユーザが既存のホームページをホームページ編集用サーバ１にアップする場合における、ホームページ編集用プログラムの処理の流れを示すフローチャートである。
【０１０７】
まず、ユーザが既存のホームページのＵＲＬを入力すると、本発明のホームページ編集用プログラムは、このＵＲＬを受け付ける（ステップＳ４０１：アドレス受付ステップ）。ホームページは、静的ＨＴＭＬによるページであっても動的にＣＧＩ等プログラムで出力された結果であっても構わない。次に、このプログラムは、このＵＲＬから取得されるＨＴＭＬと、ページ上に表示されている画像全てをＨＴＴＰプロトコルで取り込む（ステップＳ４０２：ページ取り込みステップ）。次に、このプログラムは、編集システムに、取り込んだファイルのサーバー内ファイルパスを登録する（ステップＳ４０３：ファイルパス登録ステップ）。次に、このプログラムは、新しいホームページのＵＲＬ等のホームページアクセス情報を生成する（ステップＳ４０４：ホームページアクセス情報生成ステップ）。次に、このプログラムは、ユーザに向けて、新しいホームページのＵＲＬ、ログインＵＲＬ（ページとは個別にログインパネルを提供する場合）、ユーザＩＤおよびパスワード（新規の場合）を通知する（ステップＳ４０５：アクセス情報通知ステップ）。なお、新しいページのＵＲＬは、元のＵＲＬとは異なるため、元のＵＲＬに新しいＵＲＬに自動ジャンプする仕組みを加えても良い。以上の処理によって、これまでＦＴＰでしか編集できなかった任意のウェブ上のページを自動的に簡単編集可能とすることができる。
【０１０８】
なお、上記の実施の形態は、本発明の好適な実施の形態に過ぎず、本発明は、以下のような種々変形した形態にて実施可能である。
【０１０９】
先に説明した図５の編集モード画面に替えて、ページ内のオブジェクトを、通常のページの表示とは別の形態にて表示することも可能である。例えば、図２６に示すように、通常のページの表示の下に、文字７７、文字７８、文字７９、文字８０、画像７１、画像７４、画像７５、画像７６等のオブジェクトを配置したオブジェクト一覧１７０を表示することも可能である。編集対象のオブジェクトは、オブジェクト一覧１７０に表示されている。このため、例えば、文字７７を変更したい場合には、管理者は、オブジェクト一覧１７０に表示されている文字７７をクリック等することになる。この結果、図６に示す編集フォーム９０と同様の編集フォーム（図示省略）が、管理者端末３ｂのブラウザに表示される。
【０１１０】
また、図６の編集フォーム９０内の編集用文字９４には、一切のタグが表示されていないが、図２７に示すように、初心者にもわかるような簡易なタグ（例えば、＜ＢＲ＞）１８０を、文字９４と共に表示するようにしても良い。この場合、＜ＢＲ＞等の簡易タグ１８０は、文字ではないが、「文字相当オブジェクト」として、文字と同様に扱われ、オブジェクト管理ＩＤを付与されている。
【０１１１】
また、上述の実施の形態では、図４の表示モード画面を経由して図５の編集モード画面に移行できるようにしているが、図４の表示モード画面を経由せずに、ログイン後に図５の編集モード画面に移行するようにしても良い。この場合、編集モード画面へのトリガは、ログインあるいはログイン画面における適切なユーザＩＤおよびパスワードの受付となる。
【０１１２】
また、オブジェクトの重複編集を防止するため、一旦編集モードに入ったページには、編集権限を持つ２人目以降の利用者が編集しようとしても、編集モードに移行できないようにすると良い。これによって、同時多重編集の危険性がなくなると共に、オブジェクト管理ＩＤが編集後に変化することによって、違うオブジェクトを差し替えてしまうといった問題も回避できる。
【０１１３】
また、オブジェクト追加ポイント１３５，１４４に代用して、スペースを採用しても良い。また、上述の実施の形態では、ＨＴＭＬファイル以外のレイアウトファイルを用いずに編集可能領域を保持する方式を採用しているが、レイアウト一括管理変更の利便性のために、レイアウトファイルを使用することもできる。この場合、レイアウトファイル上のコンテンツを編集対象とすることもでき、ＨＴＭＬファイルは、レイアウトファイル中に指定した位置に挿入される。
【０１１４】
【発明の効果】
本発明によれば、ＨＴＭＬに習熟しない初心者でも、簡単に、迅速に、確実にかつ自由なレイアウトにて編集・更新作業ができ、しかも、メモリ容量が少ないＰＤＡ端末あるいは携帯端末でも、特定のブラウザの機能に依存せずに、編集・更新作業ができる。
【図面の簡単な説明】
【図１】本発明に係るホームページ編集用サーバの実施の形態を含むホームページ編集システムの構成を示す図である。
【図２】図１に示すオブジェクト抽出デバイス、オブジェクト編集デバイス、オブジェクト更新デバイスおよびオブジェクト管理ＩＤ管理デバイスの各内部構成を示す図である。
【図３】図１に示す一般ユーザ端末および管理者端末に共通して表示される、ホームページのあるページ（このページを、「元ページ」という）の一例を示す図である。
【図４】図３に示す画面から、ログインして、適切なユーザＩＤとパスワードを入力した際に管理者端末に表示される表示モード画面の一例を示す図である。
【図５】図４に示す画面から移行した編集モード画面の一例を示す図である。
【図６】図５に示す画面からオブジェクト（文字）を指示した際に表示される、編集フォームを有する画面の一例を示す図である。
【図７】図６に示す編集フォーム内に新規文字を入力した状態の画面の一例を示す図である。
【図８】図７に示す画面から更新した際に表示される編集モード画面を示す図である。
【図９】図５に示す画面からオブジェクト（画像）を指示した際に表示される、編集フォームを有する画面の一例を示す図である。
【図１０】図９に示す画面から更新し、続いてログアウトした際に表示される画面を示す図である。
【図１１】図５に示す画面から、有リンクオブジェクト指示した際に表示される、編集フォームを有する画面の一例を示す図である。
【図１２】本発明に係るホームページ編集用プログラムの実施の形態の処理の流れを示すフローチャートの一部である。
【図１３】図１２に続く処理の流れを示すフローチャートの一部である。
【図１４】図１３に続く処理の流れを示すフローチャートの一部である。
【図１５】図２に示すオブジェクト編集デバイスと異なるオブジェクト編集デバイスの内部構成を示す図である。
【図１６】図２に示すオブジェクト編集デバイスによって表示された編集フォーム内の文字間に、画像を挿入するためのタグを入力した状態を示す図である。
【図１７】図１６に示す画面から、画像挿入ボタンを指示して表示される画面を示す図である。
【図１８】図１７に示す画面から、画像挿入ボタンを指示して表示される編集モード画面を示す図である。
【図１９】本発明に係るホームページ編集用プログラムの処理の一部であって、第１の手法による新規画像の挿入処理のみを示すフローチャートである。
【図２０】図２に示すオブジェクト抽出デバイスと異なるオブジェクト抽出デバイスの内部構成を示す図である。
【図２１】図４の編集モードを指示して表示される、オブジェクト追加ポイント（「ｉ」で表示する部分）を有する編集モード画面を示す図である。
【図２２】図５のオブジェクトを指示して表示される編集フォームを含む画面の一例を示す図である。
【図２３】図２２の画面と異なる、図５のオブジェクトを指示して表示される編集フォームを含む画面の一例を示す図である。
【図２４】図１に示すホームページ登録デバイスの内部構成を示す図である。
【図２５】本発明に係るホームページ編集用プログラムの実施の形態を使用して、ユーザが既存のホームページをホームページ編集用サーバにアップする場合における処理の流れを示すフローチャートである。
【図２６】図５の編集モード画面に替えて、ページ内のオブジェクトを、通常のページの表示とは別の形態にて表示した編集モード画面の一例である。
【図２７】図６に示す編集フォームに、文字相当オブジェクトである改行タグが表示された状態の画面の一例を示す図である。
【符号の説明】
１  ホームページ編集用サーバ
２  インターネット（通信回線）
３  通信端末（一般ユーザ端末３ａと管理者端末３ｂとを含む）
１２  オブジェクト抽出部（オブジェクト抽出手段）
１３  リンク情報処理部（リンク情報処理手段）
１４  編集モード表示処理部（ページ表示処理手段、第２画像挿入枠表示処理手段）
１５  オブジェクト追加ポイント付与部（オブジェクト追加ポイント付与手段）
２２  オブジェクト管理ＩＤ特定部（オブジェクト管理ＩＤ特定手段）
２３  リンク情報表示処理部（リンク情報表示処理手段）
２４  編集フォーム表示処理部（編集フォーム表示処理手段、第１画像挿入枠表示処理手段、第３画像挿入枠表示処理手段、オブジェクト追加ポイント表示処理手段）
２５  特定タグ識別部（特定タグ識別手段）
３２  更新オブジェクト特定部（更新オブジェクト特定手段）
３３  更新ページ表示処理部（更新ページ表示処理手段）
４２  オブジェクト管理ＩＤ割り当て部（オブジェクト管理ＩＤ割り当て手段、更新オブジェクト管理ＩＤ割り当て手段）
４３  オブジェクトデータ入出力部（オブジェクト差し替え手段）
６６  データ送受信部（アドレス受付手段、アクセス情報通知手段）
６７  ページ取り込み部（ページ取り込み手段）
６８  ファイルパス登録部（ファイルパス登録手段）
６９  ホームページアクセス情報生成部（ホームページアクセス情報生成手段）
９０  編集フォーム
１００  編集フォーム
１１４  リンク表示（リンク情報の一部）
１２２  画像挿入枠
１３５  ポイント
１４１  編集フォーム
１５１  編集フォーム
【図１】
2004240635.tif 000003
【図２】
2004240635.tif 000004
【図３】
2004240635.tif 000005
【図４】
2004240635.tif 000006
【図５】
2004240635.tif 000007
【図６】
2004240635.tif 000008
【図７】
2004240635.tif 000009
【図８】
2004240635.tif 000010
【図９】
2004240635.tif 000011
【図１０】
2004240635.tif 000012
【図１１】
2004240635.tif 000013
【図１２】
2004240635.tif 000014
【図１３】
2004240635.tif 000015
【図１４】
2004240635.tif 000016
【図１５】
2004240635.tif 000017
【図１６】
2004240635.tif 000018
【図１７】
2004240635.tif 000019
【図１８】
2004240635.tif 000020
【図１９】
2004240635.tif 000021
【図２０】
2004240635.tif 000022
【図２１】
2004240635.tif 000023
【図２２】
2004240635.tif 000024
【図２３】
2004240635.tif 000025
【図２４】
2004240635.tif 000026
【図２５】
2004240635.tif 000027
【図２６】
2004240635.tif 000028
【図２７】
2004240635.tif 000029
【手続補正書】
【提出日】平成15年2月14日(2003.2.14)
【手続補正１】
【補正対象書類名】図面
【補正対象項目名】全図
【補正方法】変更
【補正の内容】
【図１】
2004240635.tif 000030
【図２】
2004240635.tif 000031
【図３】
2004240635.tif 000032
【図４】
2004240635.tif 000033
【図５】
2004240635.tif 000034
【図６】
2004240635.tif 000035
【図７】
2004240635.tif 000036
【図８】
2004240635.tif 000037
【図９】
2004240635.tif 000038
【図１０】
2004240635.tif 000039
【図１１】
2004240635.tif 000040
【図１２】
2004240635.tif 000041
【図１３】
2004240635.tif 000042
【図１４】
2004240635.tif 000043
【図１５】
2004240635.tif 000044
【図１６】
2004240635.tif 000045
【図１７】
2004240635.tif 000046
【図１８】
2004240635.tif 000047
【図１９】
2004240635.tif 000048
【図２０】
2004240635.tif 000049
【図２１】
2004240635.tif 000050
【図２２】
2004240635.tif 000051
【図２３】
2004240635.tif 000052
【図２４】
2004240635.tif 000053
【図２５】
2004240635.tif 000054
【図２６】
2004240635.tif 000055
【図２７】
2004240635.tif 000056